(57)【要約】【課題】抜差し方向及び回転方向の力への十分な耐性を有しつつ、締付部による締付時に把持部が局所的に変形しにくい構成のバッテリーポスト端子を提供する。【解決手段】バッテリーポスト端子は、環状の把持部４１と、締付部と、接続部４３と、を備える。環状の把持部４１は、内側に差し込まれたバッテリーポストを把持する。締付部は、把持部４１から延びるように形成されており、把持部４１を締め付ける。接続部は、電線及び他部品のうち少なくとも何れかを電気的に接続可能である。把持部４１の内壁面には、長手方向がバッテリーポストの抜差し方向に沿う第１溝８１と、長手方向が把持部４１の周方向に沿う第２溝８２と、が形成されており、第２溝８２の溝深さが第１溝８１の溝深さより浅い。【選択図】図４
2018081813.tif 000002
【特許請求の範囲】
【請求項１】
内側に差し込まれたバッテリーポストを把持する環状の把持部と、
前記把持部から延びるように形成されており、前記把持部を締め付ける締付部と、
電線及び他部品のうち少なくとも何れかを電気的に接続可能な接続部と、
を備え、
前記把持部の内壁面には、長手方向が前記バッテリーポストの抜差し方向に沿う第１溝と、長手方向が前記把持部の周方向に沿う第２溝と、が形成されており、前記第２溝の溝深さが前記第１溝の溝深さより浅いことを特徴とするバッテリーポスト端子。
【請求項２】
請求項１に記載のバッテリーポスト端子であって、
前記第２溝は、前記把持部の前記抜差し方向の両端部を除いた部分に形成されていることを特徴とするバッテリーポスト端子。
【請求項３】
請求項１又は２に記載のバッテリーポスト端子であって、
前記把持部のうち、前記バッテリーポストが差し込まれる空間を挟んで、前記締付部の反対側の部分を含むように前記第２溝が形成されていることを特徴とするバッテリーポスト端子。
【請求項４】
請求項１から３までの何れか一項に記載のバッテリーポスト端子であって、
前記第２溝の前記抜差し方向の長さである溝幅は、前記第１溝の前記抜差し方向の長さである溝長さの半分以上であることを特徴とするバッテリーポスト端子。
【請求項５】
請求項１から４までの何れか一項に記載のバッテリーポスト端子であって、
前記第２溝は、前記把持部の抜差し方向の中央よりも、前記バッテリーポストの差込方向の下流側を含む位置に形成されていることを特徴とするバッテリーポスト端子。
【請求項６】
請求項１から５までの何れか一項に記載のバッテリーポスト端子であって、
前記第１溝と前記第２溝とが交差するように形成されていることを特徴とするバッテリーポスト端子。
【請求項７】
請求項１から６までの何れか一項に記載のバッテリーポスト端子であって、
前記第１溝は、前記バッテリーポストの差込方向の下流側に近づくにつれて、第１溝の前記周方向の長さである溝幅が長くなる部分を含むことを特徴とするバッテリーポスト端子。
【発明の詳細な説明】
【技術分野】
【０００１】
本発明は、主として、バッテリーのバッテリーポストに取り付けられるバッテリーポスト端子に関する。
【背景技術】
【０００２】
従来から、車両等のエンジンルームに配置され、バッテリーの表面に配置されたバッテリーポストと、電線等と、を接続するバッテリーポスト端子が知られている。
【０００３】
特許文献１から４に示すバッテリーポスト端子は、把持部と、締付部と、接続部と、を備える。把持部は、環状の部材であり、略円柱形のバッテリーポストを把持する。締付部は、把持部を締め付けるための部材であり、把持部の両端から延びる２枚の平板等から構成される。この対向する２枚の平板を近づけるようにボルト等を取り付けることで、把持部はバッテリーポストを把持する。接続部は、電線等を接続可能に構成される。
【０００４】
また、バッテリーと電線とをバッテリーポスト端子によって接続した後において、当該電線に引っ張り力等が作用することがある。この場合、バッテリーポスト端子の把持部には、抜差し方向又は回転方向の力が掛かることがある。抜差し方向の力が把持部に掛かることでバッテリーポストからバッテリーポスト端子が抜けることがある。回転方向の力が掛かることでバッテリーポスト端子が回転することがある。
【０００５】
このような事情から、バッテリーポスト端子は、バッテリーポストからの抜け又は回転を防止するように取り付けられることが好ましい。特許文献１から４は、この種の構成を開示する。
【０００６】
特許文献１から３は、把持部の内側の面に複数の溝を形成したバッテリーポスト端子を開示する。バッテリーポストの外面は比較的軟らかい材料で構成されており、把持部がバッテリーポストを把持した状態で締付部を締め付けることで、バッテリーポストがこの溝に食い込む。これにより、バッテリーポスト端子に力が掛かった場合でも、食い込んだ部分が溝に引っ掛かることでバッテリーポスト端子の抜け又は回転を防止する。
【０００７】
しかし、特許文献１から３では、抜差し方向に平行な溝、又は、抜差し方向から僅かに傾斜させた溝を把持部に形成する構成である。従って、特許文献１から３のバッテリーポスト端子は、抜差し方向の力への耐性が低い可能性がある。
【０００８】
これに対し、特許文献４のバッテリーポスト端子は、把持部の内側の面に、抜差し方向に平行な垂直溝と、抜差し方向に垂直な水平溝と、が形成されている。これにより、抜差し方向及び回転方向の力への耐性を持たせることができる。
【先行技術文献】
【特許文献】
【０００９】
【特許文献１】特開２０１１−２８８８９号公報
【特許文献２】特開２０１１−２８８９４号公報
【特許文献３】特開２０１１−１１３６６９号公報
【特許文献４】特開２０１３−２５１１９７号公報
【発明の概要】
【発明が解決しようとする課題】
【００１０】
しかし、特許文献４では、垂直溝と水平溝の溝深さについて特に記載されていないため、例えば水平溝の溝深さが深い場合、水平溝が形成されている部分において剛性が低下することとなる。その結果、締付部が把持部を締め付けた際に、剛性が低い水平溝で把持部が局所的に変形し、バッテリーポストを十分に把持できない可能性がある。
【００１１】
本発明は以上の事情に鑑みてされたものであり、その主要な目的は、抜差し方向及び回転方向の力への十分な耐性を有しつつ、締付部による締付時に把持部が局所的に変形しにくい構成のバッテリーポスト端子を提供することにある。
【課題を解決するための手段及び効果】
【００１２】
本発明の解決しようとする課題は以上の如くであり、次にこの課題を解決するための手段とその効果を説明する。
【００１３】
本発明の観点によれば、以下の構成のバッテリーポスト端子が提供される。即ち、このバッテリーポスト端子は、環状の把持部と、締付部と、接続部と、を備える。前記環状の把持部は、内側に差し込まれたバッテリーポストを把持する。前記締付部は、前記把持部から延びるように形成されており、把持部を締め付ける。前記接続部は、電線及び他部品のうち少なくとも何れかを電気的に接続可能である。前記把持部の内壁面には、長手方向が前記バッテリーポストの抜差し方向に沿う第１溝と、長手方向が前記把持部の周方向に沿う第２溝と、が形成されており、前記第２溝の溝深さが前記第１溝の溝深さより浅い。
【００１４】
これにより、締付部を用いて把持部を締め付けることで、バッテリーポストが把持部の第２溝以外の部分に強く接触するため、バッテリーポストと把持部とが強い力を及ぼし合う面積が小さくなる。従って、把持部とバッテリーポストが単位面積当たりに及ぼし合う力が大きくなり、把持部がバッテリーポストに食い込み易くなるため、バッテリーポスト端子を抜けにくくすることができる。また、第２溝の溝深さが第１溝の溝深さより浅いため、第２溝が形成されている部分の剛性の低下を抑えることができるので、締付け時の把持部の局所的な変形を防止できる。
【００１５】
前記のバッテリーポスト端子においては、前記第２溝は、前記把持部の前記抜差し方向の両端部を除いた部分に形成されていることが好ましい。
【００１６】
仮に、第２溝が抜差し方向の一端部又は他端部に形成されている場合は、第２溝の底部がバッテリーポストに接触するように把持部が変形し、第２溝が形成されていない部分がバッテリーポストに接触しなくなる可能性がある。従って、抜差し方向の一端部と他端部を除いた領域に第２溝が形成されていることで、第２溝が形成されていない部分をより確実にバッテリーポストに接触させることができるので、バッテリーポストを一層抜けにくくすることができる。
【００１７】
前記のバッテリーポスト端子においては、前記把持部のうち、前記バッテリーポストが差し込まれる空間を挟んで、前記締付部の反対側の部分を含むように前記第２溝が形成されていることが好ましい。
【００１８】
把持部のうち締付部が接続される部分には締付け時に大きな力が掛かり、その反対側には力が掛かりにくい。従って、この部分を含むように第２溝を形成することで、バッテリーポストに対し周方向にバランス良く力を掛けることができるので、バッテリーポストを一層抜けにくくすることができる。
【００１９】
前記のバッテリーポスト端子においては、前記第２溝の前記抜差し方向の長さである溝幅は、前記第１溝の前記抜差し方向の長さである溝長さの半分以上であることが好ましい。
【００２０】
これにより、第２溝の溝幅が大きくなるため、より大きな力が第２溝以外の部分に集中する。従って、バッテリーポストを一層抜けにくくすることができる。また、第２溝の溝幅を大きくすることで第２溝の数を減らすことができるので、第２溝を形成する工程を単純にすることができる。
【００２１】
前記のバッテリーポスト端子においては、前記第２溝は、前記把持部の抜差し方向の中央よりも、前記バッテリーポストの差込方向の下流側を含む位置に形成されていることが好ましい。
【００２２】
これにより、把持部とバッテリーポストとの接触位置をバッテリーポストの根本側にすることができるので、バッテリーポストを一層抜けにくくすることができる。
【００２３】
前記のバッテリーポスト端子においては、前記第１溝と前記第２溝とが交差するように形成されていることが好ましい。
【００２４】
これにより、第１溝は第２溝より溝深さが浅いので、第２溝上において第１溝が存在することとなる。従って、第２溝上においてもバッテリーポストが第１溝に食い込む可能性があるため、回転方向のバッテリーポスト端子の動きを抑制できる。
【００２５】
前記のバッテリーポスト端子においては、前記第１溝は、前記バッテリーポストの差込方向の下流側に近づくにつれて、第１溝の前記周方向の長さである溝幅が長くなる部分を含むことが好ましい。
【００２６】
これにより、バッテリーポストを第１溝に食い込ませることで、バッテリーポストを一層抜けにくくすることができる。
【図面の簡単な説明】
【００２７】
【図１】本発明の一実施形態に係るバッテリーポスト端子を有するバッテリーポスト端子組立体をバッテリーポストに取り付ける様子を示す斜視図。
【図２】バッテリーポスト端子組立体の全体的な構成を示す斜視図。
【図３】バッテリーポスト端子組立体の分解組立斜視図。
【図４】把持部の拡大斜視図。
【図５】第２溝が形成されている範囲を示すバッテリーポストの平面図。
【図６】従来例及び本実施形態おける把持部の圧力分布図。
【図７】変形例に係る把持部の拡大斜視図。
【発明を実施するための形態】
【００２８】
次に、図面を参照して本発明の実施の形態を説明する。図１は、本発明の一実施形態に係るバッテリーポスト端子組立体３をバッテリーポスト２に取り付ける様子を示す斜視図である。図２は、バッテリーポスト端子組立体３の全体的な構成を示す斜視図である。図３は、バッテリーポスト端子組立体３の分解組立斜視図である。
【００２９】
図１及び図２に示すように、バッテリーポスト端子組立体３は、バッテリーポスト端子４と、ホルダ部材５と、ベース部材６と、ナット７と、を備えている。
【００３０】
図１に示すように、バッテリーポスト端子４は、車両等のエンジンルームに配置され、バッテリー１のバッテリーポスト２と、電線と、を接続する端子である。
【００３１】
図２に示すように、ホルダ部材５とベース部材６の間に、バッテリーポスト端子４の一部（具体的には、後述の締付部４２）が配置されている。この状態から、バッテリーポスト端子４が備える把持部４１をバッテリーポスト２に装着し、ナット７等を用いて締付けを行うことで、バッテリーポスト端子４をバッテリーポスト２に固定できるように構成されている。
【００３２】
続いて、図３を参照しながら、バッテリーポスト端子組立体３が備える各構成部品について説明する。
【００３３】
バッテリーポスト端子４は、把持部４１と、締付部４２と、接続部４３と、を備えている。
【００３４】
把持部４１は、環状に形成されている。詳細には、把持部４１は、環状の一部が途切れた形状（言い換えれば、円弧状）に形成されており、その内側に円錐台形の差込空間４４が形成されている。差込空間４４には、円錐台状に形成されたバッテリーポスト２（図１）を差し込むことができるように構成されている。なお、以後の説明では、円錐台形状に形成された差込空間４４の中心軸を差込軸４４Ａと記載する。バッテリーポスト２の抜差し方向は、差込軸４４Ａと並行である。また、把持部４１の内壁には第１溝８１及び第２溝８２が形成されている。
【００３５】
締付部４２は、円弧状の把持部４１の両端（即ち、環状が途切れている部分）から延びるように配置され、把持部４１と一体的に形成されている。締付部４２は枠状に構成されており、枠で覆われる空間を小さくするように締付部４２を変形させることで、差込空間４４の径が減少するように把持部４１を締め付けることができる。これにより、バッテリーポスト端子４をバッテリーポスト２に取り付けることができる。
【００３６】
締付部４２は、把持部４１に近い順に、第１傾斜部４５と、第２傾斜部４６と、第３傾斜部４７と、を備えている（以下、これらの傾斜部をまとめて傾斜部４５〜４７と記載する）。締付部４２は、傾斜部４５〜４７を２つずつ備え、傾斜部４５〜４７は、互いに対称となるように２つずつ配置されている。また、傾斜部４５〜４７は、何れも平板状に形成され、締付部４２に一体的に形成されている。また、締付部４２が有する第２傾斜部４６同士の間に、ベース部材６が備えるネジ部６１を差し込むことができるように構成されている。
【００３７】
把持部４１に近い側の第１傾斜部４５は、把持部４１の端部と繋がるように配置されている。また、この第１傾斜部４５は、前記ネジ部６１の軸（ネジ軸６１Ａ）の方向に対して一側に傾斜する傾斜面を有している。２つの第１傾斜部４５は、バッテリーポスト２の根元側から先端側に近づくに従って間隔を減少させるように配置されている。また、第１傾斜部４５の下端の近傍には、ベース部材６を取り付けるための取付溝４５ａが形成されている。
【００３８】
第２傾斜部４６は、前記の第１傾斜部４５を挟んで把持部４１と反対側に配置されている。第２傾斜部４６は、第１傾斜部４５の傾斜面とは同じ向きで傾斜する傾斜面を有している。従って、２つの第２傾斜部４６は、バッテリーポスト２の根元側から先端側に近づくに従って間隔を減少させるように配置されている。
【００３９】
第３傾斜部４７は、第２傾斜部４６を挟んで第１傾斜部４５と反対側に配置されている。この第３傾斜部４７は、第１傾斜部４５の傾斜面と同じ向きに略同じ傾斜角度で傾斜する傾斜面を有している。従って、２つの第３傾斜部４７は、バッテリーポスト２の根元側から先端側に近づくに従って間隔を減少させるように配置されている。
【００４０】
先端部４８は、締付部４２のうち一方において、把持部４１から遠い側の第３傾斜部４７に連続するように形成されている。この先端部４８は、締付部４２の先端から略垂直に折れ曲がって、他方の締付部４２の先端に向かって延び、締付部４２で覆われている空間を閉鎖するように配置されている。
【００４１】
接続部４３は、把持部４１の外周面の下端から延びる板状の部分として形成されている。接続部４３は、締付部４２から遠い側の端部が略垂直に折り曲げられている。接続部４３には、バッテリー１から流れる又はバッテリー１へ流れる電流を検出するための図略のシャント抵抗が接続される。なお、接続部４３には、シャント抵抗以外の部品が接続されていても良い。例えば、接続部４３に電線の端子を取り付けるための取付部を形成し、この取付部に電線を接続しても良い。また、接続部４３に導電性を有する板を接続し、この板にシャント抵抗又は別の電気部品を接続しても良い。
【００４２】
バッテリーポスト端子４は、導電性を有する適宜の金属板から成形される。具体的には、この金属板に対して、第１溝８１及び第２溝８２に相当する位置を押圧する等して溝を形成する。その後、バッテリーポスト端子４の展開形状に合わせて打ち抜きを行う。そして、折曲げを行って図３等に示す立体形状に成形する。なお、バッテリーポスト端子４は、異なる方法で製造されていても良い。また、一体的に構成されていなくても良い。
【００４３】
ホルダ部材５は、締付部４２の一側に配置されている。このホルダ部材５は、平板部５１と、４つの脚部５２と、を備えている。
【００４４】
平板部５１は、平板状の部分として形成され、その厚み方向がネジ軸６１Ａと平行となるように配置されている。また、平板部５１は細長い矩形状に形成されている。また、平板部５１の中央には、ベース部材６が備えるネジ部６１を差し込むことが可能な貫通状の円形孔５３が形成されている。
【００４５】
脚部５２は、平板部５１の４隅から平板部５１に対して垂直に（ベース部材６が備える台座部６２に近づく向きに）突出するように配置され、平板部５１と一体的に形成されている。これらの脚部５２は、何れも平板状の突起として形成されている。脚部５２は、平板部５１の長手方向一側に２つ、他側に２つそれぞれ配置されている。脚部５２は、第１傾斜部４５及び第３傾斜部４７の傾斜面に対応する傾斜面を有する。
【００４６】
平板部５１の長手方向一側に配置された２つの脚部５２の間には、一側の締付部４２が有する第２傾斜部４６を差し込むことができる。同様に、平板部５１の長手方向他側に配置された２つの脚部５２の間には、他側の締付部４２が有する第２傾斜部４６を差し込むことができる。
【００４７】
ベース部材６は、締付部４２を挟んでホルダ部材５と反対側に配置されている。このベース部材６は、ネジ部６１と、台座部６２と、を備えている。
【００４８】
ネジ部６１は、細長い丸棒状に形成されており、その軸（ネジ軸６１Ａ）が差込軸４４Ａと平行となるように配置されている。このネジ部６１は、平板部５１に形成された円形孔５３に差し込むことができる。また、ネジ部６１にはオネジが形成されており、ナット７とネジ結合することができる。
【００４９】
台座部６２は、平板状の部分として形成され、その厚み方向がネジ部６１の軸と平行となるように配置されている。また、台座部６２は細長い矩形状に形成され、その長手方向は、１対の締付部４２が並ぶ方向と一致している。台座部６２の中央には、ネジ部６１の一端が固定されている。なお、台座部６２の一部が上記の取付溝４５ａに差し込まれる。
【００５０】
ナット７は、ベース部材６のネジ部６１に取り付けられる。
【００５１】
バッテリーポスト端子組立体３を組み立てる際には、ベース部材６のネジ部６１を、バッテリーポスト端子４の締付部４２の空間に差し込み、更に、ホルダ部材５の円形孔５３を通過させて、その先端にナット７を取り付ける。これにより、ホルダ部材５とベース部材６とが互いに連結される。その後、把持部４１の差込空間４４にバッテリーポスト２を差し込み、ナット７を更に回転させて締め付ける。これにより、ホルダ部材５とベース部材６に対して、互いに近づける方向の力が作用するため、締付部４２の空間が狭くなる。その結果、把持部４１が締め付けられ、バッテリーポスト端子４がバッテリーポスト２に取り付けられる。
【００５２】
次に、把持部４１の内壁に形成される溝の形状及び効果について図４から図６を参照して説明する。図４は、把持部４１の拡大斜視図である。図５は、第２溝８２が形成されている範囲を示すバッテリーポスト２の平面図である。図６は、従来例及び本実施形態おける把持部４１の圧力分布図である。以下の説明では、バッテリーポスト２の抜差し方向を単に抜差し方向と称し、把持部４１の周方向を単に周方向と記載する。
【００５３】
図４に示すように、把持部４１の内壁面には、第１溝８１と、第２溝８２と、が形成されている。第１溝８１は、長手方向がバッテリーポスト２の抜差し方向（言い換えれば、差込軸４４Ａ又はネジ軸６１Ａの軸方向）に沿うように複数形成されている。第１溝８１は、長手方向が抜差し方向に沿うように形成されていれば良いため、第１溝８１の長手方向が抜差し方向に完全に平行であっても良いし、抜差し方向に対して若干（例えば数度）のズレがあっても良い。また、複数の第１溝８１は完全に平行でなくても良い。
【００５４】
また、図４に示すように、第１溝８１の長手方向（抜差し方向）の長さを溝長さＬ１と記載し、第１溝８１の周方向の長さを溝幅Ｗ１と記載し、第１溝８１の溝の深さ（板厚方向の長さ）を溝深さＤ１と記載する。なお、溝幅Ｗ１は、溝の端部同士を結んだ直線の長さではなく、周方向に沿った長さ（言い換えれば平板に展開したときの長さ）を指す。
【００５５】
第２溝８２は、長手方向が把持部４１の周方向に沿うように１つ形成されている。第２溝８２は、長手方向が周方向に沿うように形成されていれば良いため、第２溝８２の長手方向が周方向に完全に平行であっても良いし、周方向に対して若干（例えば数度）のズレがあっても良い。
【００５６】
また、図４及び図５に示すように、第２溝８２の長手方向（周方向）の長さを溝長さＬ２と記載し、第２溝８２の周方向の長さを溝幅Ｗ２と記載し、第２溝８２の溝の深さ（板厚方向の長さ）を溝深さＤ２と記載する。溝長さＬ２は、溝幅Ｗ１と同様に、周方向に沿った長さを指す。
【００５７】
把持部４１の内壁面に第１溝８１及び第２溝８２を形成することで、把持部４１の内壁面とバッテリーポスト２とが強く押し当てられる面積が小さくなり、互いに及ぼし合う力が大きくなる。これにより、締付部４２が把持部４１を締め付けた際に内壁部（特に第１溝８１及び第２溝８２の縁部）がバッテリーポスト２に食い込む。以上により、バッテリーポスト端子４がバッテリーポスト２から外れにくくなる。なお、第１溝８１は、長手方向が抜差し方向に沿っているため、主としてバッテリーポスト端子４の回転を防止できる。第２溝８２は、長手方向が周方向に沿っているため、特にバッテリーポスト端子４の抜けを防止できる。
【００５８】
図６は、締付部４２が把持部４１を締め付けたときの応力の分布を示す図である。図６は、把持部４１を展開したときの図であり、左右方向の端部が締付部４２との接続箇所に相当する。また、図６では、応力が掛かっている部分の色を薄く表示している。図６の上側の図は、第１溝のみを形成した従来例の把持部を用いた結果であり、図６の下側の図は、本実施形態と同等の第１溝及び第２溝を形成した本実施形態の把持部４１を用いた場合の結果である。ただし、図６の下側の図で用いた把持部４１では、本実施形態とは第２溝８２が形成されている範囲が若干異なる。
【００５９】
図６の下側の図では、第２溝が形成されている範囲を白色の矩形で示している。第２溝の上方及び下方において応力が発生していることが確認できる。特に、第２溝の下方に発生している応力は、従来例の図では確認できないため、第２溝を形成したことにより発生していると考えられる。
【００６０】
また、従来例及び本実施形態の両方において、締付部４２の近傍で応力が大きいことが分かる。そのため、本実施形態では、図５に示すように、把持部４１のうち締付部４２から遠い側（つまり、把持部４１のうち差込空間４４を挟んで締付部４２の反対側）を含む位置に第２溝８２を形成している。更に具体的には、平面視（図４）において、把持部４１の円形が途切れている部分を差込軸４４Ａを中心に１８０度回転させた部分を含む位置に第２溝８２を形成している。このような位置に第２溝８２を形成することで、バッテリーポスト２にバランス良く力を掛けることができるので、バッテリーポスト２を一層抜けにくくすることができる。
【００６１】
一般的に、板厚が薄くなるほど把持部４１の剛性が低下する。特に、第２溝８２のように周方向に板厚が薄い部分が形成される場合、締付部４２が把持部４１を締め付けた際に、局所的な変形が生じ易い。以上を考慮し、本実施形態では、第２溝８２の溝深さＤ２を浅くしている。具体的には、溝深さＤ２は、第１溝８１の溝深さＤ１よりも浅い（更に好ましくは、溝深さＤ２が溝深さＤ１の半分以下）。また、溝深さＤ２は、板厚の１０％前後である。そのため、第２溝８２が形成されている部分の剛性の低下を抑えることができるので、締付け時の把持部の局所的な変形を防止できる。また、本実施形態では金属板からバッテリーポスト端子４を成形するが、溝深さＤ２を浅くすることで、成型時の把持部４１（把持部４１に相当する部分）の変形も防止できる。
【００６２】
また、本実施形態では、第１溝８１と第２溝８２とが交差するように（溝が形成される領域が重複するように）形成されている。しかし、上述のように溝深さＤ２が溝深さＤ１よりも浅いため、第２溝８２上に第１溝８１が形成されることとなる。これにより、第２溝８２上においてもバッテリーポスト２が第１溝８１に食い込む可能性があるため、回転方向のバッテリーポスト端子４の動きを抑制できる。
【００６３】
第２溝８２の溝幅Ｗ２は、第１溝８１の溝幅Ｗ１よりも長く、第１溝８１の溝長さＬ１の半分よりも長い。このように溝幅Ｗ２を長くすることで、把持部４１とバッテリーポスト２が及ぼし合う力を更に強くすることができる。また、第２溝８２は、把持部４１の抜差し方向の中央よりもバッテリーポスト２の差込方向の下流側（図４の上側）を含む位置に形成されている。これにより、把持部４１は、第２溝８２が形成されていない部分でバッテリーポスト２を押圧するため、把持部４１がバッテリーポスト２の根本側（バッテリー１側）を押圧することとなるので、バッテリーポスト２を一層抜けにくくすることができる。なお、第２溝８２の差込方向の下流側の端部は、第１溝８１の差込方向の下流側の端部よりも、上流側に位置している。
【００６４】
ここで、仮に図４の上側（バッテリーポスト２の抜差し方向の下流側）に第２溝８２を形成した場合、締付部４２が把持部４１を締め付けた際に第２溝８２が形成されている部分とバッテリーポスト２が接触し、その下側において把持部４１とバッテリーポスト２が接触しない可能性がある。その結果、把持部４１とバッテリーポスト２は十分な力を及ぼし合わなくなる（もう一方の端部に第２溝８２を形成した場合も同様）からである。このような事情により、本実施形態では、第２溝８２は、把持部４１の抜差し方向の両端部を除いた部分に形成されている。なお、両端部とは両端だけでなくその近傍も含む概念である。
【００６５】
以上に第２溝８２の位置、溝長さＬ２、溝深さＤ２、及び溝幅Ｗ２について説明したが、上記で説明した長さは一例であり、異なる長さであっても良い。また、本実施形態では第１溝８１を１つだけ形成する構成であるが、２つ以上形成する構成であっても良い。第１溝８１についても、本数、位置、溝長さＬ１、溝深さＤ１、溝幅Ｗ１を本実施形態と異なる長さにしても良い。また、溝長さＬ１等が異なる複数種類の第１溝８１を形成しても良い。
【００６６】
次に、上記実施形態の変形例を説明する。図７は、変形例に係る把持部４１の拡大斜視図である。なお、本変形例の説明においては、前述の実施形態と同一又は類似の部材には図面に同一の符号を付し、説明を省略する場合がある。
【００６７】
上記実施形態の第１溝８１は矩形状であったが、本変形例の８１は台形状、テーパ状である。具体的には、第１溝８１は、差込方向の下流側に近づくにつれて、溝幅Ｗ１が長くなるように傾斜している。これにより、バッテリーポスト２が第１溝８１に食い込んだ後においてバッテリーポスト端子４に抜け方向の力が掛かった場合、溝幅Ｗ１が長い部分に食い込んだバッテリーポスト２が溝幅Ｗ１が短くなる方向へ移動することとなるので、バッテリーポスト２の抜けを一層確実に防止できる。
【００６８】
なお、本変形例の効果を発揮するためには、差込方向の下流側に近づくにつれて溝幅Ｗ１が長くなる部分を含めばよいため、第１溝８１の一部のみが傾斜していても良い。また、溝幅Ｗ１が直線状に変化する構成に限られず、曲線状に変化しても良い。第１溝８１のうち、抜差し方向に沿う２つの縁部のうち一方のみが傾斜していても良い。なお、第１溝８１の抜差し方向の端部の形状は任意である。
【００６９】
上記で説明したように、バッテリーポスト端子４は、環状の把持部４１と、締付部４２と、接続部４３と、を備える。環状の把持部４１は、内側に差し込まれたバッテリーポスト２を把持する。締付部４２は、把持部４１から延びるように形成されており、把持部４１を締め付ける。接続部４３は、電線及び他部品のうち少なくとも何れかを電気的に接続可能である。把持部４１の内壁面には、長手方向がバッテリーポスト２の抜差し方向に沿う第１溝８１と、長手方向が把持部４１の周方向に沿う第２溝８２と、が形成されており、第２溝８２の溝深さが第１溝８１の溝深さより浅い。
【００７０】
これにより、締付部４２を用いて把持部４１を締め付けることで、バッテリーポスト２が把持部４１の第２溝８２以外の部分に強く接触するため、バッテリーポスト２と把持部４１とが強い力を及ぼし合う面積が小さくなる。従って、把持部４１とバッテリーポスト２が単位面積当たりに及ぼし合う力が大きくなり、把持部４１がバッテリーポスト２に食い込み易くなるため、バッテリーポスト端子４を抜けにくくすることができる。また、第２溝８２の溝深さが第１溝８１の溝深さより浅いため、第２溝８２が形成されている部分の剛性の低下を抑えることができるので、締付け時の把持部４１の局所的な変形を防止できる。
【００７１】
ここで、本実施形態では、締付部４２を用いて把持部４１を締め付けることで、バッテリーポスト２が第２溝８２の底面（深さ方向に垂直な面）に接触して弱い力を及ぼし合うが、第２溝８２以外の部分で強い力を及ぼし合うため、バッテリーポスト端子４の抜けを防止できるという効果を発揮できる。なお、締付部４２を用いて把持部４１を締め付けた際に、バッテリーポスト２と第２溝８２の底面は接触していなくても良い。
【００７２】
以上に本発明の好適な実施の形態及び変形例を説明したが、上記の構成は例えば以下のように変更することができる。
【００７３】
ベース部材６のネジ部６１からナット７を取り外した状態でもベース部材６がバッテリーポスト端子４から外れないように、バッテリーポスト端子４に抜け防止のための突起等を形成しても良い。この場合、組立作業性を向上させることができる。
【００７４】
上記実施形態では、締付部４２にホルダ部材５及びベース部材６を取り付けることで把持部４１を締め付ける構成であるが、把持部４１を締付可能であれば、別の構成であっても良い。例えば、特許文献４等のように、把持部の端部から延びるように形成された２つの板状の部分をボルト等で密着させることで、把持部を締め付ける構成であっても良い。
【００７５】
バッテリーポスト端子４の形状、特に把持部４１、締付部４２、及び接続部４３の形状は任意であり上記実施形態と異なる形状に変更しても良い。例えば、差込空間４４が円錐台形に限られず円柱形となるように把持部４１を構成しても良い。また、接続部４３は、１箇所の折曲げを有する板状の部材であるが、折曲げが２箇所に形成されてクランク状となっていても良いし、折曲げが形成されていなくても良い。
【符号の説明】
【００７６】
４  バッテリーポスト端子
４１  把持部
４２  締付部
４３  接続部
８１  第１溝
８２  第２溝
【図１】
2018081813.tif 000003
【図２】
2018081813.tif 000004
【図３】
2018081813.tif 000005
【図４】
2018081813.tif 000006
【図５】
2018081813.tif 000007
【図６】
2018081813.tif 000008
【図７】
2018081813.tif 000009